(57)【要約】【課題】取り扱い易く、製造も容易である、マンホール用の落下防止兼補助梯子用中蓋を、提供すること。【解決手段】補助梯子として機能する横枠２１、２２、２３を有し、且つ、閉状態において地表開口部を塞ぐよう機能する、蓋本体２と、蓋本体２を蓋受け枠に開閉可能に支持する、支持部３と、蓋本体２を閉状態で蓋受け枠に解除可能に係止する係止部４と、を備えており、蓋本体２が、横枠２１、２２、２３と一体の一対の縦縁枠２５、２６も有しており、１枚の金属板を打抜き加工した後に折り曲げ加工することによって、形成されており、横枠及び縦縁枠の周縁裏面に、折り曲げ加工によって起立した折り曲げ片を有している、ことを特徴とする、マンホール用の落下防止兼補助梯子用中蓋１である。【選択図】図１
2009256877.tif 000002
【特許請求の範囲】
【請求項１】
マンホールの地表開口部を開閉するようにマンホール蓋用蓋受け枠に取り付けられて、開状態では補助梯子として機能し、閉状態ではマンホールへの落下防止用の蓋として機能する、中蓋において、
補助梯子として機能する横枠を有し、且つ、閉状態において地表開口部を塞ぐよう機能する、蓋本体と、
蓋本体を上記蓋受け枠に開閉可能に支持する、支持部と、
蓋本体を閉状態で上記蓋受け枠に解除可能に係止する係止部と、を備えており、
蓋本体が、横枠と一体の一対の縦縁枠も有しており、１枚の金属板を打抜き加工した後に折り曲げ加工することによって、形成されており、横枠及び縦縁枠の周縁裏面に、折り曲げ加工によって起立した折り曲げ片を有している、ことを特徴とする、マンホール用の落下防止兼補助梯子用中蓋。
【請求項２】
上記金属板が、ステンレス鋼板である、請求項１記載のマンホール用の落下防止兼補助梯子用中蓋。
【発明の詳細な説明】
【技術分野】
【０００１】
本発明は、マンホールの地表開口部を開閉するようにマンホール蓋用蓋受け枠に取り付けられて、開状態では補助梯子として機能し、閉状態ではマンホールへの落下防止用の蓋として機能する、中蓋、に関する。
【背景技術】
【０００２】
近年、図１１に示されるように、マンホールの地表開口部９０においては、マンホール蓋９１を載せる蓋受け枠９２に、中蓋１が取り付けられるようになってきている。この中蓋１は、マンホール作業中に作業者や作業道具等がマンホール内へ落下するのを防止するために、及び、補助梯子として利用するために、用いられている。このような落下防止兼補助梯子用中蓋は、例えば、特許文献１、２に開示されている。そして、それらの中蓋の蓋本体は、複数の横枠と、２本の真っ直ぐな縦縁枠と、で構成されており、横枠は、両端にて、縦縁枠にボルト固定されている。
【特許文献１】特開２００２−３８５０４号公報
【特許文献２】特開２００３−２０６６５号公報
【発明の開示】
【発明が解決しようとする課題】
【０００３】
ところで、中蓋は、マンホール作業において補助的目的のために使用されるものである。したがって、中蓋には、取扱い易さが求められている。しかしながら、特許文献１、２に示されている中蓋は、蓋本体に重量感があるために、取り扱い難く、しかも、製造も面倒である。
【０００４】
本発明は、取り扱い易く、製造も容易である、マンホール用の落下防止兼補助梯子用中蓋を、提供することを目的とする。
【課題を解決するための手段】
【０００５】
本発明は、マンホールの地表開口部を開閉するようにマンホール蓋用蓋受け枠に取り付けられて、開状態では補助梯子として機能し、閉状態ではマンホールへの落下防止用の蓋として機能する、中蓋において、補助梯子として機能する横枠を有し、且つ、閉状態において地表開口部を塞ぐよう機能する、蓋本体と、蓋本体を上記蓋受け枠に開閉可能に支持する、支持部と、蓋本体を閉状態で上記蓋受け枠に解除可能に係止する係止部と、を備えており、蓋本体が、横枠と一体の一対の縦縁枠も有しており、１枚の金属板を打抜き加工した後に折り曲げ加工することによって、形成されており、横枠及び縦縁枠の周縁裏面に、折り曲げ加工によって起立した折り曲げ片を有している、ことを特徴とする、マンホール用の落下防止兼補助梯子用中蓋である。
【０００６】
なお、上記金属板としては、ステンレス鋼板を用いるのが好ましい。
【発明の効果】
【０００７】
本発明によれば、蓋本体が１枚の金属板を打抜き加工した後に折り曲げ加工することによって形成されているので、容易に製造できる。したがって、生産性を向上できる。しかも、蓋本体が１枚の金属板からなる一体物であり且つ横枠や縦縁枠の周縁裏面に起立した折り曲げ片を有しているので、マンホール用の落下防止兼補助梯子として必要とされる強度を保持できる。
【発明を実施するための最良の形態】
【０００８】
図１は本発明のマンホール用の落下防止兼補助梯子用中蓋の上方斜視図、図２は下方斜視図、図３は平面図、図４は図３のIV矢視図、図５は図３のＶ矢視図である。この中蓋１は、蓋本体２、支持部３、及び係止部４からなっている。ところで、図１１に示されるように、マンホールの地表開口部９０には、マンホール蓋９１が載せられる平面視環状の蓋受け枠９２が、設けられている。中蓋１は、この蓋受け枠９２に取り付けて用いられる。
【０００９】
蓋本体２は、３本の横枠２１、２２、２３と、２本の縦縁枠２５、２６と、からなっている。なお、縦縁枠２５、２６は、それぞれ、平面視で外側へ膨出した形態を有している。
【００１０】
支持部３は、２本の縦縁枠２５、２６の基端に設けられた、２個の支持体３１と、水平な回動軸３２と、からなっている。支持体３１は、蓋受け枠９２を上下から挟持する挟持部３１１と、回動軸３２に回動自在に連結している連結部３１２と、からなっている。支持体３１は、挟持部３１１によって蓋受け枠９２を挟持することによって、蓋受け枠９２に固定される。２個の支持体３１は、互いに左右対称に構成されている。回動軸３２は、蓋本体２の２本の縦縁枠２５、２６の基端に、回動自在に支持されている。なお、回動軸３２としては、樹脂製のパイプを用いるのが好ましい。したがって、蓋本体２は、基端側が蓋受け枠９２に支持された状態で、回動軸３２を中心として、図４の矢印に示されるように、回動するようになっている。
【００１１】
係止部４は、２本の縦縁枠２５、２６の先端に設けられた、２個の上部材４１と、２個の上部材４１の下方に隙間４４（図４）を隔てて位置する、２個の下部材４２と、２個の下部材４２を縦方向にスライドさせるスライド機構４３と、からなっている。隙間４４は、蓋受け枠９２を受け入れる大きさを有している。上部材４１は、蓋受け枠９２に上から掛けられるよう設けられている。スライド機構４３は、２個の下部材４２を連結した横フレーム４３１と、２本の縦縁枠２５、２６の先端に固定された横軸４３２と、一端が横軸４３２に固定され且つ他端が横フレーム４３１に固定された、２個のスプリング４３３と、からなっている。なお、横軸４３２としては、樹脂製のパイプを用いるのが好ましい。下部材４２は、スプリング４３３によって先端側へ常時付勢されている。したがって、下部材４２をスプリング４３３に抗して基端側にスライドさせた状態で上部材４１を蓋受け枠９２に上から掛け、スプリング４３３の力によって下部材４２を先端側にスライドさせると、蓋受け枠９２が上部材４１と下部材４２との間の隙間４４に位置し、これにより、蓋本体２は、蓋受け枠９２に対して係止状態となる。なお、下部材４２をスプリング４３３に抗して基端側にスライドさせると、蓋本体２は蓋受け枠９２に対して解除状態となる。したがって、蓋本体２は、係止部４によって、蓋受け枠９２に対して解除可能に係止される。
【００１２】
そして、本発明では、蓋本体２が、１枚の金属板を打抜き加工した後に折り曲げ加工することによって、形成されている。金属板としては、例えばステンレス鋼板が用いられる。具体的には、１枚の金属板を打抜き加工することによって、図６に示されるような型板２００を形成する。この型板２００は、３本の横枠２１、２２、２３と、２本の縦縁枠２５、２６と、それらの枠の周縁の折り曲げ片２７１〜２９４と、を有している。図中、一点鎖線は折り曲げ線である。そして、それぞれの折り曲げ片２７１〜２９４を折り曲げて裏面側にて起立させる。これにより、図７に示される形態の蓋本体２が、得られる。図７は蓋本体２の平面図、図８は図７のVIII矢視図、図９は図７のIX矢視図、図１０は図７のＸ−Ｘ断面図である。したがって、蓋本体２は、３本の横枠２１、２２、２３と２本の縦縁枠２５、２６とを有しながらも１枚の金属板からなる一体物であり、且つ、枠の周縁裏面に起立した折り曲げ片２７１〜２９４を有している。例えば折り曲げ片２８６、２８７は、図１０に示されるように、裏面側において起立している。
【００１３】
上記構成の中蓋１によれば、閉状態すなわち蓋本体２が係止部４によって蓋受け枠９２に係止されている状態において、蓋本体２がマンホールの地表開口部を塞ぐこととなるので、作業者や作業道具等がマンホールへ落下するのを防止できる。また、上記構成の中蓋１によれば、開状態すなわち蓋本体２が図４の一点鎖線で示されるように起立している状態において、横枠２１、２２、２３がマンホールに出入りする作業者にとっての手摺り等として役立つので、補助梯子として機能できる。したがって、上記構成の中蓋１は、マンホール用の落下防止兼補助梯子として機能できる。
【００１４】
そして、上記構成の中蓋１によれば、蓋本体２が１枚の金属板を打抜き加工した後に折り曲げ加工することによって形成されているので、容易に製造できる。したがって、生産性を向上できる。しかも、上記構成の中蓋１によれば、蓋本体２が１枚の金属板からなる一体物であり且つ横枠２１、２２、２３や縦縁枠２５、２６の周縁裏面に起立した折り曲げ片２７１〜２９４を有しているので、マンホール用の落下防止兼補助梯子として必要とされる強度を保持できる。
【００１５】
なお、蓋本体２を構成する金属板としては、鉄板、アルミニウム板、チタン板等を用いてもよい。
【００１６】
また、横枠の数は、上述した３本に限らず、２本又は４本以上でもよい。また、縦縁枠の他に、同様の構成の縦枠が、横方向中程に設けられてもよい。
【産業上の利用可能性】
【００１７】
本発明のマンホール用の落下防止兼補助梯子用中蓋は、取り扱い易く、製造も容易であるので、産業上の利用価値が大である。
【図面の簡単な説明】
【００１８】
【図１】本発明のマンホール用の落下防止兼補助梯子用中蓋の上方斜視図である。
【図２】図１の中蓋の下方斜視図である。
【図３】図１の中蓋の平面図である。
【図４】図３のIV矢視図である。
【図５】図３のＶ矢視図である。
【図６】打抜き加工後の型板の平面図である。
【図７】折り曲げ加工後の蓋本体の平面図である。
【図８】図７のVIII矢視図である。
【図９】図７のIX矢視図である。
【図１０】図７のＸ−Ｘ断面図である。
【図１１】マンホールの地表開口部を示す上方斜視図である。
【符号の説明】
【００１９】
１  中蓋  ２  蓋本体  ２１、２２、２３  横枠  ２５、２６  縦縁枠  ３  支持部  ４  係止部
【図１】
2009256877.tif 000003
【図２】
2009256877.tif 000004
【図３】
2009256877.tif 000005
【図４】
2009256877.tif 000006
【図５】
2009256877.tif 000007
【図６】
2009256877.tif 000008
【図７】
2009256877.tif 000009
【図８】
2009256877.tif 000010
【図９】
2009256877.tif 000011
【図１０】
2009256877.tif 000012
【図１１】
2009256877.tif 000013